Podtech/llm-jp-corpus-v4-ja_patent huggingface dataset:
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
第１の取込動作をトリガして第１のデータを取り込むのを可能にするように構成された第１のトリガと、
第２の取込動作をトリガして第２のデータを取り込むのを可能にするように構成された第２のトリガと、
前記第１のトリガおよび前記第２のトリガに電子的に結合され、前記第１のトリガがトリガされると前記第１の取込動作を開始して前記第１のデータを取り込み、前記第２のトリガがトリガされると前記第２の取込動作を開始して前記第２のデータを取り込み、前記第１のデータおよび前記第２のデータを受け取って処理するように構成された処理装置と、
を備えているデジタルカメラ。
【請求項２】
前記第１の取込動作が、少なくとも第１の静止画像を取り込む第１の静止画像取込み、少なくとも第１の連続した画像を取り込む第１の連続画像取込み、第１の音声を取り込む第１の音声取込み、および第１のビデオ画像を取り込む第１のビデオ画像取込みからなるグループの少なくとも１つの取込みを含み、
前記第２の取込動作が、少なくとも第２の静止画像を取り込む第２の静止画像取込み、少なくとも第２の連続した画像を取り込む第２の連続画像取込み、第２の音声を取り込む第２の音声取込み、および第２のビデオ画像を取り込む第２のビデオ画像取込みからなるグループの少なくとも１つの取込みを含む、
請求項１に記載のデジタルカメラ。
【請求項３】
前記第１のデータを取り込む第１の取込動作および前記第２のデータを取り込む第２の取込動作からなるグループの少なくとも１つの取込動作が、音声データを取り込む音声取込みを含み、
前記デジタルカメラが、前記音声データを取り込むように構成された音声入力装置をさらに備え、
前記処理装置が、前記音声入力装置に電子的に結合され、前記音声取込みのトリガ時に前記音声データの取込みを開始し、前記音声データを受け取って処理するように構成されている、
請求項１に記載のデジタルカメラ。
【請求項４】
前記第１のデータを取り込む第１の取込動作および前記第２のデータを取り込む第２の取込動作からなるグループの少なくとも１つの取込動作が、画像データを取り込む画像取込みを含み、該画像データを取り込む画像取込みが、静止画像データを取り込む静止画像取込み、連続画像データを取り込む連続画像取込み、およびビデオ画像データを取り込むビデオ画像取込みからなるグループの少なくとも１つの取込みを含み、
前記デジタルカメラが、前記画像取込みの前記画像データを取り込むように構成された画像センサをさらに含み、
前記処理装置が、前記画像取込みの前記画像データを受け取って画像処理するように構成されている、
請求項１に記載のデジタルカメラ。
【請求項５】
前記画像データを格納するように構成されたリムーバブルメモリおよび前記画像データを格納するように構成された内部メモリからなるグループの少なくとも１つのメモリをさらに備えている、請求項４に記載のデジタルカメラ。
【請求項６】
第１の取込トリガと、第２の取込トリガと、該第１の取込トリガおよび該第２の取込トリガに電子的に結合された処理装置と、を有して構成されたデジタルカメラを動作させる方法であって、
前記第１の取込トリガのトリガ時に第１のデータを取り込む第１の取込動作を前記処理装置から開始するステップと、
前記第２の取込トリガのトリガ時に第２のデータを取り込む第２の取込動作を前記処理装置から開始するステップと、
前記処理装置において前記第１のデータおよび前記第２のデータを受け取って処理するステップと、
を含む方法。
【請求項７】
前記第１のデータを取り込む第１の取込動作を開始するステップが、少なくとも第１の静止画像を取り込む第１の静止画像取込みを開始するステップ、少なくとも第１の連続した画像を取り込む第１の連続画像取込みを開始するステップ、第１の音声を取り込む第１の音声取込みを開始するステップ、および第１のビデオ画像を取り込む第１のビデオ画像取込みを開始するステップからなるグループの少なくとも１つのステップを含み、
前記第２のデータを取り込む第２の取込動作を開始するステップが、少なくとも第２の静止画像を取り込む第２の静止画像取込みを開始するステップ、少なくとも第２の連続した画像を取り込む第２の連続画像取込みを開始するステップ、第２の音声を取り込む第２の音声取込みを開始するステップ、および第２のビデオ画像を取り込む第２のビデオ画像取込みを開始するステップからなるグループの少なくとも１つのステップを含む、
請求項６に記載の方法。
【請求項８】
前記デジタルカメラが音声入力装置をさらに備え、
前記処理装置が、前記音声入力装置に電子的に結合され、
前記第１のデータを取り込む第１の取込動作を開始するステップおよび前記第２のデータを取り込む第２の取込動作を開始するステップからなるグループの少なくとも１つのステップが、前記音声入力装置を用いて音声データを取り込む音声取込みを開始するステップを含み、
前記第１のデータおよび第２のデータを受け取って処理するステップが、前記処理装置を用いて前記音声取込みの前記音声データを受け取って処理するステップを含む、
請求項６に記載の方法。
【請求項９】
前記デジタルカメラが画像センサをさらに備え、
前記処理装置が、前記画像センサに電子的に結合され、
前記第１のデータを取り込む第１の取込動作を開始するステップおよび前記第２のデータを取り込む第２の取込動作を開始するステップからなるグループの少なくとも１つのステップが、前記画像センサを用いて画像データを取り込む画像取込みを開始するステップを含み、該画像データを取り込む画像取込みを開始するステップが、静止画像データを取り込む静止画像取込みを開始するステップ、連続画像データを取り込む連続画像取込みを開始するステップ、およびビデオ画像データを取り込むビデオ画像取込みを開始するステップからなるグループの少なくとも１つのステップを含み、
前記第１のデータおよび第２のデータを受け取って処理するステップが、前記処理装置において前記画像取込みの前記画像データを受け取って画像処理するステップを含む、
請求項６に記載の方法。
【請求項１０】
前記デジタルカメラが、内部メモリおよびリムーバブルメモリからなるグループの少なくとも１つのメモリをさらに備え、前記内部メモリおよび前記リムーバブルメモリからなる前記グループの前記少なくとも１つのメモリに前記画像処理した画像データを格納するステップをさらに含む、請求項９に記載の方法。
【手続補正書】
【提出日】平成18年8月8日(2006.8.8)
【手続補正１】
【補正対象書類名】明細書
【補正対象項目名】特許請求の範囲
【補正方法】変更
【補正の内容】
【特許請求の範囲】
【請求項１】  一画面あたりの読出し画素数と画面の読出し間隔の組み合わせが異なる複数の撮影モードを有し、いずれかの撮影モードを設定する設定手段と、
前記設定手段による設定に従って、被写体を撮像して撮像データを生成する撮像手段と、
前記撮像データを前記設定された撮影モードにおける画面の読出し間隔に基づく画像レートからなる動画像データとして符号化する符号化手段と、
符号化された動画像データを出力する出力手段と、
前記設定手段による設定に従って、前記出力手段における前記符号化された動画像データの出力を制御する制御手段とを具備することを特徴とする画像生成装置。
【請求項２】  請求項１において、さらに前記出力手段から出力される前記符号化された動画像データを受信する受信装置の状態を検出する検出手段を具備し、前記制御手段は前記検出手段で検出された前記受信装置の状態に基づく状態情報と前記設定手段による設定とに従って、前記出力手段における前記符号化された動画像データの出力を制御することを特徴とする画像生成装置。
【請求項３】  請求項２において、前記制御手段は前記出力手段における前記符号化された動画像データの出力を開始または停止するよう制御することを特徴とする画像生成装置。
【請求項４】  請求項２において、前記制御手段は前記出力手段における前記符号化された動画像データの出力を動画像の一画面毎に制御することを特徴とする画像生成装置。
【請求項５】  請求項２において、前記検出手段は前記受信装置の受信状態を検出することを特徴とする画像生成装置。
【請求項６】  請求項２において、前記受信装置は記録装置であって、前記検出手段は前記記録装置の記録状態を検出することを特徴とする画像生成装置。
【請求項７】  請求項１において、前記撮像手段は撮像する画素範囲を選択して読み出す読出し手段を具備し、前記読出し手段は前記設定手段による設定に従って前記画素範囲を決定することを特徴とする画像生成装置。
【請求項８】  請求項１において、前記制御手段は前記設定手段による設定に従って、前記出力手段における前記符号化された動画像データの出力形態を切り替えることを特徴とする画像生成装置。
【請求項９】  請求項８において、前記制御手段は前記設定手段による設定に応じて、前記符号化された動画像データの出力時のパケットの並び方を変更することを特徴とする画像生成装置。
【請求項１０】  請求項８において、前記制御手段は前記設定手段による設定に応じて、前記符号化された動画像データの出力形態として解像度スケーラビリティまたはＳＮスケーラビリティを選択可能であることを特徴とする画像生成装置。
【請求項１１】  請求項１において、さらに前記撮像手段の撮像能力に関わる情報を記憶する第１の記憶手段と、前記符号化手段の符号化能力に関わる情報を記憶する第２の記憶手段とを具備し、前記設定手段は前記第１及び第２の記憶手段に記憶された各情報のうち少なくとも一方を用いて前記撮影モードの設定を行うことを特徴とする画像生成装置。
【請求項１２】  一画面あたりの読出し画素数と画面の読出し間隔の組み合わせが異なる複数の撮影モードを有し、いずれかの撮影モードを設定する設定工程と、
前記設定工程における設定に従って、被写体を撮像して撮像データを生成する撮像工程と、
前記撮像データを前記設定された撮影モードにおける画面の読出し間隔に基づく画像レートからなる動画像データとして符号化する符号化工程と、
符号化された動画像データを出力する出力工程と、
前記設定工程における設定に従って、前記出力工程における前記符号化された動画像データの出力を制御する制御工程とを有することを特徴とする画像生成方法。
【請求項１３】  請求項１２において、さらに前記出力工程にて出力される前記符号化された動画像データを受信する受信装置の状態を検出する検出工程を有し、前記制御工程は前記検出工程で検出された前記受信装置の状態に基づく状態情報と前記設定工程における設定とに従って、前記出力工程における前記符号化された動画像データの出力を制御することを特徴とする画像生成方法。
【請求項１４】  請求項１２において、さらに前記撮像工程において撮像する画素範囲を選択して読み出す読出し工程を有し、前記読出し工程は前記設定工程における設定に従って前記画素範囲を決定することを特徴とする画像生成方法。
【請求項１５】  請求項１２において、前記制御工程は前記設定工程における設定に従って、前記出力工程における前記符号化された動画像データの出力形態を切り替えることを特徴とする画像生成方法。
【手続補正２】
【補正対象書類名】明細書
【補正対象項目名】００１２
【補正方法】変更
【補正の内容】
【００１２】
本発明の画像生成装置は、一画面あたりの読出し画素数と画面の読出し間隔の組み合わせが異なる複数の撮影モードを有し、いずれかの撮影モードを設定する設定手段と、前記設定手段による設定に従って、被写体を撮像して撮像データを生成する撮像手段と、前記撮像データを前記設定された撮影モードにおける画面の読出し間隔に基づく画像レートからなる動画像データとして符号化する符号化手段と、符号化された動画像データを出力する出力手段と、前記設定手段による設定に従って、前記出力手段における前記符号化された動画像データの出力を制御する制御手段とを具備することを特徴とする。
【手続補正３】
【補正対象書類名】明細書
【補正対象項目名】００１３
【補正方法】変更
【補正の内容】
【００１３】
また、本発明の画像生成装置は、一画面あたりの読出し画素数と画面の読出し間隔の組み合わせが異なる複数の撮影モードを有し、いずれかの撮影モードを設定する設定工程と、前記設定工程における設定に従って、被写体を撮像して撮像データを生成する撮像工程と、前記撮像データを前記設定された撮影モードにおける画面の読出し間隔に基づく画像レートからなる動画像データとして符号化する符号化工程と、符号化された動画像データを出力する出力工程と、前記設定工程における設定に従って、前記出力工程における前記符号化された動画像データの出力を制御する制御工程とを有することを特徴とする。
【手続補正４】
【補正対象書類名】明細書
【補正対象項目名】０１００
【補正方法】変更
【補正の内容】
【０１００】
【発明の効果】
以上説明したように本発明によれば、設定された撮影モードに基づいて、撮像処理、符号化処理及び符号化された動画像データの出力を適切に制御することで、高解像度あるいは、高速取り込みといった画像の特性を生かした動画ストリームを生成することができる。
【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
第１のメディアを介してデータを受信する第１のデータ受信手段と、
第２のメディアを介してデータを受信する第２のデータ受信手段と、
前記第１のデータ受信手段により受信されたデータ及び前記第２のデータ受信手段により受信されたデータの再生を、前記第２のメディアを介して受信したイベントメッセージに応答して切り換える切り換え手段とを有することを特徴とする受信装置。
【請求項２】
前記第１のデータ受信手段により受信されたデータ及び前記第２のデータ受信手段により受信されたデータを夫々のデコード処理でデコードするデコーダを有し、
前記切り換え手段は、前記デコーダにより実行されるデコード処理を、前記イベントメッセージに応答して、前記第２のデータ受信手段により受信されたデータが表示可能なデコード処理に切り換えることを特徴とする請求項１に記載の受信装置。
【請求項３】
前記第２のデータ受信手段により受信されたデータを蓄積するメモリを有し、
前記デコーダは、前記第２のデータ受信手段により受信されたデータが表示可能なデコード処理に切り換えられた後、前記第２のデータ受信手段により受信されたデータを前記メモリから読み出してデコード処理することを特徴とする請求項２に記載の受信装置。
【請求項４】
前記第１のデータ受信手段は、外部装置からインターネットを介して通信データを受信する手段であり、前記第２のデータ受信手段は、放送局から放送網を介して送信される放送データを受信する手段であることを特徴とする請求項２に記載の受信装置。
【請求項５】
第１のメディアを介してデータを受信する第１のデータ受信ステップと、
第２のメディアを介してデータを受信する第２のデータ受信ステップと、
前記第１のデータ受信ステップにより受信されたデータ及び前記第２のデータ受信ステップにより受信されたデータの再生を、前記第２のメディアを介して受信したイベントメッセージに応答して切り換える切り換えステップとを有することを特徴とする受信方法。
【請求項６】
請求項５に記載の受信方法をコンピュータに実行させるためのプログラム。
【手続補正２】
【補正対象書類名】明細書
【補正対象項目名】発明の名称
【補正方法】変更
【補正の内容】
【発明の名称】受信装置、受信方法及びプログラム
【手続補正３】
【補正対象書類名】明細書
【補正対象項目名】０００１
【補正方法】変更
【補正の内容】
【０００１】
本発明は、複数の異なるメディアを横断するテレビジョン放送番組に於いて、放送局の任意の時刻に表示コンテンツを変更することのできる技術に関し、特に、テレビジョン放送局より提供されるストリーミング番組がイベントメッセージ等により制御されることで、全視聴者に対し任意の時刻にCM(Commercial Message)等が提示され、且つその切り換えをシームレスに行うことを可能にする技術に関するものである。
【手続補正４】
【補正対象書類名】明細書
【補正対象項目名】００１０
【補正方法】変更
【補正の内容】
【００１０】
本発明の目的は、インターネット及び放送波等、複数の伝送媒体（メディア）の切り換えを可能とし、例えば、通信データ及び放送データの双方をそのメディア切り換え制御により快適に試聴可能とすることにある。
【手続補正５】
【補正対象書類名】明細書
【補正対象項目名】００１１
【補正方法】変更
【補正の内容】
【００１１】
また、本発明の別の目的は、メディア切り換えによる放送データのコンテンツの途切れを極力回避することにある。
【手続補正６】
【補正対象書類名】明細書
【補正対象項目名】００１２
【補正方法】変更
【補正の内容】
【００１２】
本発明の受信装置は、第１のメディアを介してデータを受信する第１のデータ受信手段と、第２のメディアを介してデータを受信する第２のデータ受信手段と、前記第１のデータ受信手段により受信されたデータ及び前記第２のデータ受信手段により受信されたデータの再生を、前記第２のメディアを介して受信したイベントメッセージに応答して切り換える切り換え手段とを有することを特徴とする。
本発明の受信方法は、第１のメディアを介してデータを受信する第１のデータ受信ステップと、第２のメディアを介してデータを受信する第２のデータ受信ステップと、前記第１のデータ受信ステップにより受信されたデータ及び前記第２のデータ受信ステップにより受信されたデータの再生を、前記第２のメディアを介して受信したイベントメッセージに応答して切り換える切り換えステップとを有することを特徴とする。
本発明のプログラムは、前記受信方法をコンピュータに実行させることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明によれば、データの再生の切り換えをイベントメッセージに応答して行うように構成したので、コンテンツの途切れを極力回避することができる。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
複数のソース画像を複合画像内に符号化する段階と、
複数の色素を使用して該複合画像を基体上にレンダリングする段階と、
前記ソース画像を現わすように予め選択された狭帯域発光体に前記レンダリングされた複合画像を当てることにより、回復したソース画像が区別可能にされるように少なくとも１つの前記符号化されたソース画像を前記レンダリングされた複合画像から回復させる段階と、
を含むことを特徴とする、複数のソース画像を処理する方法。
【請求項２】
前記ソース画像を符号化する段階は、複数のソース画像ピクセルを表す値をそれぞれの色素画像平面内の対応する複数のピクセル値にマップする段階を更に含むことを特徴とする請求項１に記載の方法。
【請求項３】
前記マップされた値は、（ａ）色素／発光体相互作用に対する人間の視覚的応答の三色色度、（ｂ）前記複合画像をレンダリングするために選択された前記色素のスペクトル特性、及び（ｃ）前記ソース画像を回復するために使用される前記狭帯域発光体のスペクトル特性のうちの少なくとも１つに従って判断されることを特徴とする請求項２に記載の方法。
【請求項４】
複数のソース画像を表す画像データを受信し、該ソース画像を複合画像内に符号化するために該画像データを処理し、複合画像データ信号を準備するためのスペクトルマルチプレクサと、
該複合画像データ信号を受信し、該複合画像を基体上にレンダリングするための、前記スペクトルマルチプレクサに応答する画像レンダリング装置と、
少なくとも１つの前記符号化されたソース画像が検出可能にされるように、前記基体上の前記レンダリングされた複合画像を、選択されたスペクトルパワー分布を有する狭帯域発光体による照明に当てるためのデマルチプレクサと、
を含むことを特徴とする画像化システム。
【請求項５】
各ソース画像ピクセルを表す値が、それぞれの色素画像平面内の対応するピクセル値にマップされ、
該マップされた値は、（ａ）色素／発光体相互作用に対する人間の視覚的応答の三色色度、（ｂ）前記複合画像をレンダリングするために選択された色素のスペクトル特性、及び（ｃ）前記ソース画像を回復するために使用される前記狭帯域発光体のスペクトル特性のうちの少なくとも１つに従って判断される、
ことを特徴とする請求項４に記載のシステム。
【請求項６】
複数のソース画像を複合画像内に符号化する段階と、
複数の色素を使用して該複合画像を基体上にレンダリングする段階と、
該レンダリングされた複合画像を、光源から供給された発光体と得られる回復されたソース画像を検出するための検出器内のセンサとに当てることにより、該回復ソース画像が区別可能にされるように前記符号化されたソース画像のうちの所望の１つを前記レンダリングされた複合画像から回復させる段階と、
を含み、
前記各ソース画像を符号化する段階は、前記符号化する段階、レンダリングする段階、及び回復させる段階のうちの少なくとも１つに及ぼす以下の効果、すなわち、
（ａ）前記複合画像をレンダリングするために選択された前記色素のスペクトル吸収特性、
（ｂ）前記ソース画像を回復させるために該複合画像を照明するのに使用された前記発光体のスペクトル放射輝度特性、及び
（ｃ）このような照明を当てる間に前記所望のソース画像の回復のために前記レンダリングされた複合画像を感知するのに使用された前記センサのスペクトル応答特性、
の効果を最適化するための判断に従って実行される、
ことを特徴とする、複数のソース画像を処理する方法。
【請求項７】
前記ソース画像を符号化する段階は、前記複数の色素が前記基体上で組み合わされた時に、このような色素のスペクトル吸収特性の相互作用に従って判断されることを特徴とする請求項６に記載の方法。
【請求項８】
前記レンダリングされた複合画像は、｛Ｖi(λ)｝Ni=1によって与えられた波長λの関数であるそれぞれの感度を有するＮ個のセンサによって捕捉され、
色素制御値｛Ａj｝Mj=1を有する印刷領域に対する該センサの応答は、
ｆi（Ａ1，Ａ2，．．．ＡM）＝色素制御値Ａ1，Ａ2，．．．ＡMを有する領域に対するｉ番目の捕捉装置の応答＝∫λＶi(λ)ｒ（λ；Ａ1，Ａ2，．．．ＡM）ｄλ、ｉ＝１，２，．．．Ｎ
によって与えられ、
このＮ個の関数の組は、所定のピクセル位置においてＭ個の色素の各々に対して使用された前記制御値｛Ａj｝Mj=1と、前記Ｎ個のセンサの各々によって該所定のピクセル位置で生成された前記応答との間の関係を特徴付ける、
ことを特徴とする請求項６に記載の方法。
【請求項９】
少なくとも１つの前記ソース画像を、前記レンダリングする段階で利用可能な１つ又はそれ以上の全領域に制限するために全領域マッピングを実行する段階を更に含むことを特徴とする請求項６に記載の方法。
【請求項１０】
複数のソース画像を表す画像データを受信し、該ソース画像を複合画像内に符号化するために該画像データを処理し、複合画像データ信号を準備するためのスペクトルマルチプレクサと、
該複合画像データ信号を受信し、該複合画像を基体上にレンダリングするための、前記スペクトルマルチプレクサに応答する画像レンダリング装置と、
該基体上の該レンダリングされた複合画像を、選択されたスペクトルパワー分布を有する発光体による照明に当てるための光源と、スペクトル応答特性を有するセンサを含む検出器とを有し、それによって少なくとも１つの前記符号化されたソース画像が、前記レンダリングされた複合画像を前記光源から供給された発光体と、得られる回復されたソース画像を検出するための前記検出器内のセンサとに当てることにより検出可能であるデマルチプレクサと、
を含み、
前記少なくとも１つのソース画像を符号化する段階は、前記符号化する段階、レンダリングする段階、及び回復させる段階のうちの少なくとも１つに及ぼす以下の効果、すなわち、
（ａ）前記複合画像をレンダリングするために選択された色素のスペクトル吸収特性、  （ｂ）前記ソース画像を回復させるために該複合画像を照明するのに使用された前記発光体のスペクトル放射輝度特性、及び
（ｃ）このような照明を当てる間に所望のソース画像の回復のために前記レンダリングされた複合画像を感知するのに使用された前記センサのスペクトル応答特性、
の効果を最適化するための判断に従って実行される、
ことを特徴とする画像化システム。
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  外部から供給される運動エネルギーにより回転され磁性を有するロータ、前記ロータの回転にて発生する磁束を伝達するヨークおよび前記ヨークにて伝達される磁束により発電する発電コイルを有する発電ユニットとを備え、前記運動エネルギーを電気エネルギーに変換して発電する発電装置であって、
前記発電ユニットは、複数設けられ、かつ、前記各発電ユニットは、前記ロータの回転軸に直交する平面においてそれぞれ異なる位置に配置され、
前記ロータはすべて、同一の運動エネルギーにより回転され、
前記各ロータの磁極の位相は、略等角度ずつずれていることを特徴とする発電装置。
【請求項２】  請求項１に記載の発電装置において、前記発電ユニットは３の倍数個設けられ、前記各ロータの位相は、略等角度ずつずれていることを特徴とする発電装置。
【請求項３】  請求項１または２のいずれかに記載の発電装置を有する電子機器。
【請求項４】  外部から供給される外部エネルギーにより運動されて運動エネルギーを生じる運動体と、前記運動エネルギーにより回転され磁性を有するロータ、前記ロータの回転にて発生する磁束変動を伝達するヨークおよび前記ヨークにて伝達される磁束により発電する発電コイルを有する発電ユニットとを備える発電装置と、
前記発電装置にて発電された電力の電圧値あるいは電流値を検出する電力検出手段と、
前記電力検出手段による検出結果から前記運動体の運動方向を判断する運動方向判断手段とを備え、
前記発電ユニットは、３つ以上設けられ、
前記ロータはすべて、同一の前記運動体から生じる運動エネルギーにより回転され、
前記ロータの位相は前記各発電ユニットごとに異なっていることを特徴とするエンコーダ。
【手続補正２】
【補正対象書類名】明細書
【補正対象項目名】０００６
【補正方法】変更
【補正の内容】
【０００６】
【課題を解決するための手段】
本発明の発電装置は、外部から供給される運動エネルギーにより回転され磁性を有するロータ、前記ロータの回転にて発生する磁束を伝達するヨークおよび前記ヨークにて伝達される磁束により発電する発電コイルを有する発電ユニットとを備え、前記運動エネルギーを電気エネルギーに変換して発電する発電装置であって、前記発電ユニットは、複数設けられ、かつ、前記各発電ユニットは、前記ロータの回転軸に直交する平面においてそれぞれ異なる位置に配置され、前記ロータはすべて、同一の運動エネルギーにより回転され、前記各ロータの磁極の位相は、略等角度ずつずれていることを特徴とする。
【手続補正３】
【補正対象書類名】明細書
【補正対象項目名】００１１
【補正方法】変更
【補正の内容】
【００１１】
本発明では、前記ロータの磁極の位相は、略等角度ずつずれている。したがって、ロータの位相、すなわち、ロータが発電コイルに対して有する位相が等角度ずつずれていれば、各発電ユニットにおいて発電コイルからロータに作用する磁力抵抗は、発電装置全体でみると時間的に平滑化されるので、外部から与えられる運動エネルギーにより、各ロータが円滑に回転される。すると、各発電ユニットにおける発電効率を高く維持することができる。
また、ロータの位相が等角度ずつずれていれば、発電装置で発電される電力の出力波形が平滑化され、コンデンサ等を必要とせず回路構成を簡略化することができる。
なお、ロータの位相は等角度ずつずれていることが好ましいが、±５〜１０°程度の違いは許容範囲であり、発電装置からの出力波形の平滑度が損なわれない程度であればよい。
【手続補正４】
【補正対象書類名】明細書
【補正対象項目名】００１２
【補正方法】削除
【補正の内容】
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
操作を行う結果の視覚的表現を提供するための方法であって、
ユーザからの入力に応答してカーソルの第１の移動を行うステップ、
アプリケーション・ウィンドウ内で前記カーソルの位置の第１の検出を行うステップ、および
前記アプリケーション・ウィンドウ内の第１の選択可能な項目に対応する前記カーソルの前記位置に応答して前記第１の選択可能な項目の選択の結果の描写を表示するステップを含む方法。
【請求項２】
ユーザからの入力に応答してカーソルの第２の移動を行うステップ、
前記カーソルの位置の第２の検出を行うステップ、および
前記アプリケーション・ウィンドウ内の前記第１の選択可能な項目に既に対応していない前記カーソルの前記位置に応答して前記第１の選択可能な項目の選択の結果の描写を表示することを中断するステップをさらに含む、請求項１に記載の方法。
【請求項３】
前記表示するステップが、透明の重ね書きとして表示するステップを含む、請求項１に記載の方法。
【請求項４】
前記表示するステップが、ステンシルの輪郭として表示するステップを含む、請求項１に記載の方法。
【請求項５】
前記表示するステップが、前記選択可能な項目の選択の結果を試し表示するステップを含む、請求項１に記載の方法。
【請求項６】
前記選択可能な項目が、メニュー項目、アイコン、およびボタンのうちの少なくとも１つを含む、請求項１に記載の方法。
【請求項７】
前記選択可能な項目と前記選択可能な項目の選択の結果の前記描写の間の関係の指摘を表示するステップをさらに含み、前記選択可能な項目と前記選択可能な項目の選択の結果の前記描写の間の関係の前記指摘が射出線を含む、請求項１に記載の方法。
【請求項８】
前記表示された描写が、非アクティブのサブメニュー、非アクティブのウィンドウ、および非アクティブのダイアログのうちの少なくとも１つを含む、請求項１に記載の方法。
【請求項９】
前記第１の選択可能な項目がファイル識別子を含み、前記第１の選択可能な項目の選択の結果の描写を表示する前記ステップがファイルの少なくとも一部分を表示するステップを含む、請求項１に記載の方法。
【請求項１０】
ユーザにセレクションの結果を表示するための装置であって、
視覚的に表示するための手段と、
ユーザの入力を受け取るための手段と、
カーソルの位置を判定するための手段とを含み、前記カーソルが視覚的に表示するための前記手段によって表示され、かつユーザの入力を受け取るための前記手段に応答し、
視覚的に表示するための前記手段によって表示される選択可能な項目の位置と前記カーソルの間の関係を判定するための手段、および
少なくとも視覚的に表示するための前記手段上で前記選択可能な項目によって占められる領域内に前記カーソルがあるときに前記選択可能な項目の選択の結果の描写を作り出す手段を含む装置。
【手続補正書】
【提出日】平成18年9月11日(2006.9.11)
【手続補正１】
【補正対象書類名】明細書
【補正対象項目名】００４７
【補正方法】変更
【補正の内容】
【００４７】
また、テンプレート記憶部１１６は、テンプレートごとに環境評価値Ｅ１（ｊ），Ｅ２（ｊ），Ｅ３（ｊ）、重みベクトルＷ（ｊ）をも記憶する。環境評価値は、輝度値の分布に基づき環境ｊを表現するパラメータであり、Ｅ１（ｊ）は逆光度合い、Ｅ２（ｊ）は暗闇度合い、Ｅ３（ｊ）は低照度度合いである。順光、逆光、日陰、夕暮れ、夜間などの代表的な環境下で、前述のｅ１，ｅ２，ｅ３と同様の計算方法で計算しておく。
【手続補正２】
【補正対象書類名】明細書
【補正対象項目名】００７５
【補正方法】変更
【補正の内容】
【００７５】
以下、まず、サングラスとマスクが存在するペナルティｇｄ１を出力する処理を説明する。
サングラス＋マスク画像（図９（ｂ）参照）は、正常なる顔の画像（図９（ａ））に比べて、上方に暗い画素が集中するため縦方向の輝度重心が中心より低い位置となる。また、横方向に見たライン毎の輝度値の分散は小さいのに対し縦方向に見たライン毎の輝度値の分散は大きい。さらに、サングラスの部分により輝度値が極端に低いという性質がある。
【手続補正３】
【補正対象書類名】明細書
【補正対象項目名】００７６
【補正方法】変更
【補正の内容】
【００７６】
そこで、この処理では、サングラスとマスクを装着した顔を判別するために、頭部候補領域２０２内の輝度重心のＹ座標ＧＩｙと、頭部候補領域２０２内のＸ方向の標準偏差とＹ方向の標準偏差の比ＳＤｘｙと、頭部候補領域２０２内の特に輝度値が低い画素の割合ＤＰとを算出する。ここで、例えば、頭部候補領域２０２内において、輝度値が前記特徴量ｃ３の値以下の画素数ＮＦと輝度値が（ｃ３−ｃ４）の値以下の画素数ＮＳとの比をＤＰとする。そして、輝度重心のＹ座標ＧＩｙが頭部候補領域２０２の中心より下方にあり、更に、Ｘ方向の標準偏差とＹ方向の標準偏差の比ＳＤｘｙが所定しきい値より小さく、更に、輝度値の低い画素の割合ＤＰがしきい値以上となる場合に、頭部候補領域２０２内の画像はサングラスとマスクを装着した顔の画像であると判定して、ペナルティｇｄ１を距離値Ｄに加算する。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
電源ボタンと、複数の文字入力キーからなるキーボード部とを備えたキーボード本体と、前記キーボード本体の保護カバーと、前記キーボード本体と前記保護カバーとを連結する連結機構部とを備え、
前記保護カバーは、前記キーボード本体を収納する収納部と、この保護カバーの常に露出する位置に配置されるタッチパッドとを備え、
前記連結機構部は、前記キーボード本体を前記収納部に収納する第１の状態と、このキーボード本体を露出する第２の状態とを取り得るように前記キーボード本体と前記保護カバーとを連結し、
前記電源ボタンは、前記第１の状態および前記第２の状態で常に露出する位置に配置され、前記キーボード部は、前記第１の状態で隠蔽され、前記第２の状態で露出する位置に配置されることを特徴とする操作装置。
【請求項２】
請求項１に記載の操作装置において、
前記タッチパッドは、表示部を備え、
前記表示部は、非通電状態では隠蔽され、通電状態では前記保護カバーの常に露出する位置に表示されることを特徴とする操作装置。
【請求項３】
請求項１に記載の操作装置において、
前記キーボード本体は、複数のモード切替スイッチからなるモード切替スイッチ群を備え、
前記モード切替スイッチ群は、前記第１の状態および前記第２の状態で常に露出する位置に配置されることを特徴とする操作装置。
【手続補正２】
【補正対象書類名】明細書
【補正対象項目名】０００８
【補正方法】変更
【補正の内容】
【０００８】
前記目的を達成するために、本発明の操作装置は、電源ボタンと、複数の文字入力キーからなるキーボード部とを備えたキーボード本体と、前記キーボード本体の保護カバーと、前記キーボード本体と前記保護カバーとを連結する連結機構部とを備え、前記保護カバーは、前記キーボード本体を収納する収納部と、この保護カバーの常に露出する位置に配置されるタッチパッドとを備え、前記連結機構部は、前記キーボード本体を前記収納部に収納する第１の状態と、このキーボード本体を露出する第２の状態とを取り得るように前記キーボード本体と前記保護カバーとを連結し、前記電源ボタンは、前記第１の状態および前記第２の状態で常に露出する位置に配置され、前記キーボード部は、前記第１の状態で隠蔽され、前記第２の状態で露出する位置に配置されるように構成する。
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
記録膜の特性が異なる第１及び第２の光ディスクが選択的に装着される装着部と、
この装着部に装着された前記第１または第２の光ディスクの最内周部分を再生し、得られた再生信号のレベルに基づいて、前記装着部に前記第１及び第２の光ディスクのいずれが装着されているかを判別する判別手段とを具備したことを特徴とする光ディスク装置。
【請求項２】
前記判別手段の判別結果に基づいて、情報の記録または再生のための信号処理部を制御する制御手段を具備したことを特徴とする請求項１記載の光ディスク装置。
【請求項３】
第１の光反射率を有する第１の記録膜を、該第１の光反射率よりも低い第２の光反射率に変化させることにより情報が記録される第１の光ディスクと、前記第２の光反射率を有する第２の記録膜を、該第２の光反射率よりも高い前記第１の光反射率に変化させることにより情報が記録される第２の光ディスクとが選択的に装着される装着部と、
この装着部に装着された前記第１または第２の光ディスクを再生し、前記第１の光反射率を有する領域に対応するレベルの再生信号が得られる割合と、前記第２の光反射率を有する領域に対応するレベルの再生信号が得られる割合とに基づいて、前記装着部に前記第１及び第２の光ディスクのいずれが装着されているかを判別する判別手段と、
この判別手段の判別結果に基づいて、情報の記録または再生のための信号処理部を制御する制御手段とを具備したことを特徴とする光ディスク装置。
【請求項４】
前記判別手段は、
前記第１の光反射率を有する領域に対応するレベルの再生信号が得られる割合が、前記第２の光反射率を有する領域に対応するレベルの再生信号が得られる割合よりも多い場合に、前記第１の光ディスクであると判別し、
前記第２の光反射率を有する領域に対応するレベルの再生信号が得られる割合が、前記第１の光反射率を有する領域に対応するレベルの再生信号が得られる割合よりも多い場合に、前記第２の光ディスクであると判別することを特徴とする請求項３記載の光ディスク装置。
【請求項５】
前記制御手段は、前記判別手段の判別結果に基づいて、前記信号処理部を制御して、前記装着部に装着された第１または第２の光ディスクに記録されている自己の種類を示す情報を再生し、この再生された情報と前記判別手段の判別結果とを照合して、前記装着部に前記第１及び第２の光ディスクのいずれが装着されているかを判別することを特徴とする請求項３または４記載の光ディスク装置。
【請求項６】
第１の記録膜の有部分が第１の光反射率となり、該第１の記録膜の無部分が前記第１の光反射率よりも低い第３の光反射率となって情報が記録される第１の光ディスクと、第２の記録膜の有部分が前記第１の光反射率よりも低い第２の光反射率となり、該第２の記録膜の無部分が前記第２の光反射率よりも低い前記第３の光反射率となって情報が記録される第２の光ディスクとが選択的に装着される装着部と、
この装着部に装着された前記第１または第２の光ディスクを再生し、前記第１の光反射率を有する領域に対応するレベルの再生信号が得られるか、前記第２の光反射率を有する領域に対応するレベルの再生信号が得られるかに基づいて、前記装着部に前記第１及び第２の光ディスクのいずれが装着されているかを判別する判別手段と、
この判別手段の判別結果に基づいて、情報の記録または再生のための信号処理部を制御する制御手段とを具備したことを特徴とする光ディスク装置。
【請求項７】
前記判別手段は、前記装着部に装着された前記第１または第２の光ディスクを再生して得られた再生信号のレベルを、予め設定された基準レベルと比較することにより、前記第１の光反射率を有する領域に対応するレベルの再生信号と、前記第２の光反射率を有する領域に対応するレベルの再生信号とを判別することを特徴とする請求項６記載の光ディスク装置。
【請求項８】
記録膜の特性が異なる第１及び第２の光ディスクを選択的に装着する工程と、
装着された前記第１または第２の光ディスクの最内周部分を再生し、得られた再生信号のレベルに基づいて、前記第１及び第２の光ディスクのいずれが装着されているかを判別する工程とを具備したことを特徴とする光ディスク装置の制御方法。
【請求項９】
第１の光反射率を有する第１の記録膜を、該第１の光反射率よりも低い第２の光反射率に変化させることにより情報が記録される第１の光ディスクと、前記第２の光反射率を有する第２の記録膜を、該第２の光反射率よりも高い前記第１の光反射率に変化させることにより情報が記録される第２の光ディスクとに対して、選択的に情報の記録再生を行なう光ディスク装置の制御方法において、
装着された前記第１または第２の光ディスクを再生し、前記第１の光反射率を有する領域に対応するレベルの再生信号が得られる割合と、前記第２の光反射率を有する領域に対応するレベルの再生信号が得られる割合とに基づいて、前記第１及び第２の光ディスクのいずれが装着されているかを判別する工程と、
この判別結果に基づいて、情報の記録または再生のための信号処理部を制御する工程とを具備したことを特徴とする光ディスク装置の制御方法。
【請求項１０】
第１の記録膜の有部分が第１の光反射率となり、該第１の記録膜の無部分が前記第１の光反射率よりも低い第３の光反射率となって情報が記録される第１の光ディスクと、第２の記録膜の有部分が前記第１の光反射率よりも低い第２の光反射率となり、該第２の記録膜の無部分が前記第２の光反射率よりも低い前記第３の光反射率となって情報が記録される第２の光ディスクとに対して、選択的に情報の記録再生を行なう光ディスク装置の制御方法において、
装着された前記第１または第２の光ディスクを再生し、前記第１の光反射率を有する領域に対応するレベルの再生信号が得られるか、前記第２の光反射率を有する領域に対応するレベルの再生信号が得られるかに基づいて、前記第１及び第２の光ディスクのいずれが装着されているかを判別する工程と、
この判別結果に基づいて、情報の記録または再生のための信号処理部を制御する工程とを具備したことを特徴とする光ディスク装置の制御方法。
【手続補正書】
【提出日】平成18年7月31日(2006.7.31)
【手続補正１】
【補正対象書類名】明細書
【補正対象項目名】０１２３
【補正方法】変更
【補正の内容】
【０１２３】
さらに、実施の形態４の構成においてはブロックＢＵ０，ブロックＢＵ１に対してそれぞれ配置するソース線ＳＬの本数を変更する。具体的には、図１６に示されるようにソース線ドライバ帯ＳＬＤＲＶから遠方に位置するブロックＢＵ１に対しては６本のソース線ＳＬ０を設け、ソース線ドライバ帯ＳＬＤＲＶの近傍に位置するブロックＢＵ０に対しては３本のソース線をＳＬ１を設ける。なお、ここで、ソース線ＳＬ０およびＳＬ１は、後に詳述するが所定個のメモリセル行にそれぞれ対応して行方向に沿って配置さた、たとえば９本のソース線のうちの６本および３本のソース線ＳＬをそれぞれ総称したものである。
【手続補正２】
【補正対象書類名】図面
【補正対象項目名】図６
【補正方法】変更
【補正の内容】
【図６】
2005092963.tif 000001
【手続補正３】
【補正対象書類名】図面
【補正対象項目名】図１１
【補正方法】変更
【補正の内容】
【図１１】
2005092963.tif 000002
【手続補正書】
【提出日】平成18年8月7日(2006.8.7)
【手続補正１】
【補正対象書類名】明細書
【補正対象項目名】００２３
【補正方法】変更
【補正の内容】
【００２３】
通常動作用正ポンプ回路１１、内部動作用正ポンプ回路１２，１３、駆動用正ポンプ回路１４は、単一の外部電源電位ＥＸＶＤＤ（たとえば、１．８Ｖ）によって駆動される。内部動作用負ポンプ回路１５〜１７は、駆動用正ポンプ回路１４からの電位ＶＰＣ（たとえば、２．４Ｖ）によって駆動される。
【手続補正２】
【補正対象書類名】明細書
【補正対象項目名】００２６
【補正方法】変更
【補正の内容】
【００２６】
駆動用正ポンプ回路１４は、クロック信号ＣＬＫおよび基準電位ＶＲＥＦを受け、正電位ＶＰＣ（たとえば、２．４Ｖ）を生成して内部動作用負ポンプ回路１５〜１７に与える
。内部動作用負ポンプ回路１５は、クロック信号ＣＬＫおよび基準電位ＶＲＥＦを受け、たとえば消去動作などの内部動作時にワード線に必要な負電位ＶＮＡ（たとえば、−９．２Ｖ）を生成する。内部動作用負ポンプ回路１６は、クロック信号ＣＬＫおよび基準電位ＶＲＥＦを受け、たとえばプログラム動作などの内部動作時にワード線ドライバ３９に必要な負電位ＶＮＢ（たとえば、−０．５Ｖ）を生成する。内部動作用負ポンプ回路１７は、クロック信号ＣＬＫおよび基準電位ＶＲＥＦを受け、たとえばプログラム動作などの内部動作時にウェルに必要な負電位ＶＮＣ（たとえば、−０．９Ｖ）を生成する。
【手続補正３】
【補正対象書類名】明細書
【補正対象項目名】００４４
【補正方法】変更
【補正の内容】
【００４４】
ＰチャネルＭＯＳトランジスタ９１，９２は、それぞれ外部電源電位ＥＸＶＤＤのライ
ンとノードＮ１３との間に接続される。ＮチャネルＭＯＳトランジスタ９３，９４は、ノードＮ１３と接地電位ＧＮＤのラインとの間に直列接続される。ＰチャネルＭＯＳトランジスタ９１およびＮチャネルＭＯＳトランジスタ９４のゲートは、ともにノードＮ１２に接続される。ＰチャネルＭＯＳトランジスタ９２およびＮチャネルＭＯＳトランジスタ９３のゲートは、ともにＡＮＤ回路５７の出力信号を受ける。ＰチャネルＭＯＳトランジスタ１０１およびＮチャネルＭＯＳトランジスタ１０２は、外部電源電位ＥＸＶＤＤのラインと接地電位ＧＮＤのラインとの間に直列接続される。ＰチャネルＭＯＳトランジスタ１０１およびＮチャネルＭＯＳトランジスタ１０２の複数組は、それぞれインバータを構成している。これらの複数のインバータは、ノードＮ１３と出力ノードＮ１４との間に直列接続される。
【手続補正４】
【補正対象書類名】明細書
【補正対象項目名】００４６
【補正方法】変更
【補正の内容】
【００４６】
ＰチャネルＭＯＳトランジスタ９５，９６は、それぞれ外部電源電位ＥＸＶＤＤのラインとノードＮ１６との間に接続される。ＮチャネルＭＯＳトランジスタ９７，９８は、ノードＮ１６と接地電位ＧＮＤのラインとの間に直列接続される。ＰチャネルＭＯＳトランジスタ９５およびＮチャネルＭＯＳトランジスタ９８のゲートは、ともにノードＮ１５に接続される。ＰチャネルＭＯＳトランジスタ９６およびＮチャネルＭＯＳトランジスタ９７のゲートは、ともにＡＮＤ回路５７の出力信号を受ける。ＰチャネルＭＯＳトランジスタ１０３およびＮチャネルＭＯＳトランジスタ１０４は、外部電源電位ＥＸＶＤＤのラインと接地電位ＧＮＤのラインとの間に直列接続される。ＰチャネルＭＯＳトランジスタ１０３およびＮチャネルＭＯＳトランジスタ１０４の複数組は、それぞれインバータを構成している。これらの複数のインバータは、ノードＮ１６と出力ノードＮ１７との間に直列接続される。
【手続補正５】
【補正対象書類名】明細書
【補正対象項目名】００５０
【補正方法】変更
【補正の内容】
【００５０】
選択信号ＳＥＬが「Ｌ」レベルの場合（外部電源電位ＥＸＶＤＤが低い場合）、スイッチ回路１０５は、ノードＮ１５とＰチャネルＭＯＳトランジスタ９５のゲートとを接続する。スイッチ回路１０６は、ＰチャネルＭＯＳトランジスタ９５のドレインとノードＮ１６とを接続する。スイッチ回路１０７は、ＡＮＤ回路５７の出力ノードとＰチャネルＭＯＳトランジスタ９６のゲートとを接続する。スイッチ回路１０８は、ＰチャネルＭＯＳトランジスタ９６のドレインとノードＮ１６とを接続する。スイッチ回路１０９は、ノードＮ１６とＮチャネルＭＯＳトランジスタ９７のドレインとを接続する。スイッチ回路１１０は、ＡＮＤ回路５７の出力ノードとＮチャネルＭＯＳトランジスタ９７のゲートとを接続する。スイッチ回路１１１は、ノードＮ１５とＮチャネルＭＯＳトランジスタ９８のゲートとを接続する。したがって、ＡＮＤ回路５７の出力信号が「Ｈ」レベルの場合は、ＰチャネルＭＯＳトランジスタ９６が非導通になり、ＮチャネルＭＯＳトランジスタ９７が導通するため、ノードＮ１５に伝達されたクロック信号は論理レベルが反転されてノードＮ１６に与えられる。ＡＮＤ回路５７の出力信号が「Ｌ」レベルの場合は、ＰチャネルＭＯＳトランジスタ９６が導通し、ＮチャネルＭＯＳトランジスタ９７が非導通になるため、ノードＮ１６が「Ｈ」レベルに固定され、ノードＮ１５に伝達されたクロック信号はノードＮ１６には伝達されない。
【手続補正６】
【補正対象書類名】図面
【補正対象項目名】図１
【補正方法】変更
【補正の内容】
【図１】
2005092965.tif 000001
【手続補正７】
【補正対象書類名】図面
【補正対象項目名】図４
【補正方法】変更
【補正の内容】
【図４】
2005092965.tif 000002
【手続補正８】
【補正対象書類名】図面
【補正対象項目名】図５
【補正方法】変更
【補正の内容】
【図５】
2005092965.tif 000003
【手続補正書】
【提出日】平成18年4月12日(2006.4.12)
【手続補正１】
【補正対象書類名】明細書
【補正対象項目名】００５４
【補正方法】変更
【補正の内容】
【００５４】
実施例１
磁性液を４時間分散し、研磨剤を強磁性粉末１００部に対して５部加え、カレンダー処理を金属ロール、温度８０℃で行った。その結果、微小押し込み硬度が７８ｋｇ/ｍｍ2（０．７６ＧＰａ）で表面突起数が６６個であった。ヘッド磨耗は０．８μｍと小さく、出力は＋４．３ｄＢ（対比較例３）と高出力であった。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
対物レンズ系が装着されたヨークベースと、該ヨークベースを保持する光学ベースと、該光学ベースに該ヨークベースを押圧保持する押えバネと、該ヨークベースの傾きを調整する調整ネジと、前記押えバネには、前記ヨークベースの押圧時に生ずる位置のズレを抑制する係止手段とを備えることを特徴とする光ピックアップの支持構造。
【請求項２】
前記係止手段として、前記押えバネの先端部に球タボや曲げ突起部が形成されてなることを特徴とする請求項１記載の光ピックアップの支持構造。
【請求項３】
前記係止手段として、前記押えバネに形成された球タボや曲げ突起部と、該押えバネの球タボや曲げ突起部を嵌め込み係止するための凹み部が前記ヨークベースの押圧面に形成されてなることを特徴とする請求項１又は２記載の光ピックアップの支持構造。
【請求項４】
前記係止手段として、前記押えバネに形成された球タボや曲げ突起部と、前記ヨークベースの押圧面に形成された凹み部と、該凹み部を有する該ヨークベースの押圧面には前記押えバネが嵌め込み位置決めされる座グリ部が形成されてなることを特徴とする請求項１又は２又は３記載の光ピックアップの支持構造。
【請求項５】
前記押えバネには、前記ヨークベースの傾き調整時における該ヨークベースを押圧する位置の回転方向と該押えバネの歪み方向の相違による方向ズレを、押圧力を保持した状態で吸収抑制するために、弾性歪み部、又は弾性体を有する事により、該ヨークベースが前記光学ベースに押圧保持された状態で、該押えバネの押圧位置の回転による方向ズレが吸収抑制されてなることを特徴とする請求項１乃至４記載の光ピックアップの支持構造。
【請求項６】
対物レンズ系が装着されたヨークベースと、該ヨークベースを保持する光学ベースと、該光学ベースに該ヨークベースを押圧保持する押えバネと、該ヨークベースの傾きを調整する調整ネジと、前記押えバネには、前記ヨークベースの押圧時に生ずる位置のズレを抑制する係止手段とを備えることを特徴とする光ピックアップの支持構造を備えたピックアップ装置。
【手続補正書】
【提出日】平成18年7月26日(2006.7.26)
【手続補正１】
【補正対象書類名】特許請求の範囲
【補正対象項目名】請求項１３
【補正方法】変更
【補正の内容】
【請求項１３】
前記検証回路は、一致検出時、対応のメモリセルへの以後の書込みを禁止するビット値に前記ページバッファの対応のビット値を設定する、請求項１０記載の半導体記憶装置。